(57)【特許請求の範囲】
【請求項１】
車両の車輪と一体で回転するブレーキディスク(D)と、
前記ブレーキディスク(D)の摺動面に押し付け可能に配置されたブレーキパッド(Pin,Pout)と、
前記ブレーキパッド(Pin,Pout)を前記ブレーキディスク(D)へ押し付けるアクチュエータ(C,W,Pis)と、
を備えたディスクブレーキ装置に適用される車両用ディスクブレーキ制御装置であって、
前記ブレーキディスク(D)の温度上昇によりその摺動面が傾く状態である熱倒れ状態が発生しているか否かを判定する熱倒れ状態判定手段(５１,４１０)と、
前記熱倒れ状態にあった前記ブレーキディスク(D)が同熱倒れ状態から復帰したか否かを判定する熱倒れ状態復帰判定手段(５１,４２５)と、
前記ブレーキディスク(D)が前記熱倒れ状態から復帰したと判定された後、前記アクチュエータ(C,W,Pis)を制御して前記ブレーキパッド(Pin,Pout)を前記ブレーキディスク(D)へ押し付ける押し付け手段(５１、図６のルーチン)と、
を備えた車両用ディスクブレーキ制御装置。
【請求項２】
請求項１に記載の車両用ディスクブレーキ制御装置において、
前記押し付け手段(５１、図６のルーチン)は、
前記車両が、前記ブレーキパッド(Pin,Pout)の前記ブレーキディスク(D)への前記押し付けにより発生する制動力を前記車両の乗員が感知し難い所定の走行状態になった場合にのみ、前記ブレーキパッド(Pin,Pout)を前記ブレーキディスク(D)へ押し付けるように構成された車両用ディスクブレーキ制御装置。
【請求項３】
請求項２に記載の車両用ディスクブレーキ制御装置において、
前記押し付け手段(５１、図６のルーチン)は、
前記車両にエンジンブレーキが発生したか否かを判定するエンジンブレーキ判定手段(５１，６１５)を備え、
前記車両に前記エンジンブレーキが発生したと判定された場合に前記ブレーキパッド(Pin,Pout)を前記ブレーキディスク(D)へ押し付けるように構成された車両用ディスクブレーキ制御装置。
【請求項４】
請求項３に記載の車両用ディスクブレーキ制御装置において、
前記押し付け手段(５１、図６のルーチン)は、
前記エンジンブレーキによる制動力を調整するエンジンブレーキ調整手段(５１，６３５)を備え、
前記ブレーキパッド(Pin,Pout)を前記ブレーキディスク(D)へ押し付けている間、前記ブレーキパッド(Pin,Pout)の前記ブレーキディスク(D)への前記押し付けにより発生する制動力分だけ前記エンジンブレーキによる制動力を小さくするように構成された車両用ディスクブレーキ制御装置。
【請求項５】
請求項２乃至請求項４の何れか一項に記載の車両用ディスクブレーキ制御装置において、
前記押し付け手段(５１、図６のルーチン)は、
前記車両が加速状態になったか否かを判定する加速状態判定手段(５１，６２０)を備え、
前記車両が加速状態になったと判定された場合に前記ブレーキパッド(Pin,Pout)を前記ブレーキディスク(D)へ押し付けるように構成された車両用ディスクブレーキ制御装置。
【請求項６】
請求項５に記載の車両用ディスクブレーキ制御装置において、
前記押し付け手段(５１、図６のルーチン)は、
前記車両のエンジンの駆動力を調整するエンジン駆動力調整手段(５１，６４５)を備え、
前記ブレーキパッド(Pin,Pout)を前記ブレーキディスク(D)へ押し付けている間、前記ブレーキパッド(Pin,Pout)の前記ブレーキディスク(D)への前記押し付けにより発生する制動力分だけ前記エンジンの駆動力を大きくするように構成された車両用ディスクブレーキ制御装置。
【請求項７】
請求項２乃至請求項６の何れか一項に記載の車両用ディスクブレーキ制御装置において、
前記押し付け手段(５１、図６のルーチン)は、
前記車両が悪路を走行している状態にあるか否かを判定する悪路走行状態判定手段(５１，６２５)を備え、
前記車両が悪路を走行している状態にあると判定された場合に前記ブレーキパッド(Pin,Pout)を前記ブレーキディスク(D)へ押し付けるように構成された車両用ディスクブレーキ制御装置。
【請求項８】
請求項１乃至請求項７の何れか一項に記載の車両用ディスクブレーキ制御装置において、
前記ディスクブレーキ装置は、前記ブレーキディスクの温度(T)を取得する温度取得手段(４４、図７のルーチン)を備え、
前記熱倒れ状態判定手段(５１,４１０)は、
前記取得されたブレーキディスクの温度(T)が第１所定温度(T1)を超えたとき前記熱倒れ状態が発生したと判定し、
前記熱倒れ状態復帰判定手段(５１,４２５)は、
前記取得されたブレーキディスクの温度(T)が前記第１所定温度(T1)よりも低い第２所定温度(T2)を下回ったとき前記ブレーキディスク(D)が前記熱倒れ状態から復帰したと判定するように構成された車両用ディスクブレーキ制御装置。
【請求項９】
請求項８に記載の車両用ディスクブレーキ制御装置において、
前記温度取得手段(４４、図７のルーチン)は、
前記車両の運転者のブレーキ操作による前記ディスクブレーキ装置の作動により発生する前記車両の車体減速度(G)から得られる前記ブレーキディスクへの蓄熱速度(Tup)と、前記車両の車体速度(Vso)から得られる前記ブレーキディスクからの放熱速度(Tdown)とに基づいて前記ブレーキディスクの温度(T)を計算により推定していく(図７のルーチン)ように構成された車両用ディスクブレーキ制御装置。
【請求項１０】
請求項１乃至請求項７の何れか一項に記載の車両用ディスクブレーキ制御装置において、
前記車両の車体減速度(G)を取得する車体減速度取得手段を備え、
前記熱倒れ状態判定手段(５１，１００５，１２０５)は、
前記車体減速度(G)と第１所定減速度(G1)との比較に基づいて前記熱倒れ状態が発生したか否かを判定し、
前記熱倒れ状態復帰判定手段(５１，１０１０，１２１０)は、
前記車体減速度(G)と前記第１所定減速度(G1)よりも減速度合いの小さい第２所定減速度(G2)との比較に基づいて前記ブレーキディスク(D)が前記熱倒れ状態から復帰したか否かを判定するように構成された車両用ディスクブレーキ制御装置。
【請求項１１】
請求項１０に記載の車両用ディスクブレーキ制御装置において、
前記熱倒れ状態判定手段(５１，１００５)は、
前記車体減速度(G)が前記第１所定減速度(G1)よりも減速度合いが大きい状態が第１所定時間(L1)だけ継続したとき前記熱倒れ状態が発生したと判定し、
前記熱倒れ状態復帰判定手段(５１，１０１０)は、
前記車体減速度(G)が前記第２所定減速度(G2)よりも減速度合いが小さい状態が第２所定時間(L2)だけ継続したとき前記ブレーキディスク(D)が前記熱倒れ状態から復帰したと判定するように構成された車両用ディスクブレーキ制御装置。
【請求項１２】
請求項１０に記載の車両用ディスクブレーキ制御装置において、
前記熱倒れ状態判定手段(５１，１２０５)は、
前記車体減速度(G)の前記第１所定減速度(G1)からの減速度合いがより大きい方向への偏差の積算値である第１時間面積(Slean)が第１所定値(S1)を超えたとき前記熱倒れ状態が発生したと判定し、
前記熱倒れ状態復帰判定手段(５１，１２１０)は、
前記車体減速度(G)の前記第２所定減速度(G2)からの減速度合いがより小さい方向への偏差の積算値である第２時間面積(Sret)が第２所定値(S2)を超えたとき前記ブレーキディスク(D)が前記熱倒れ状態から復帰したと判定するように構成された車両用ディスクブレーキ制御装置。
【請求項１３】
請求項１２に記載の車両用ディスクブレーキ制御装置において、
前記熱倒れ状態判定手段(５１，１２０５)は、
前記車体減速度(G)が減速度合いがより大きい方向へ変化しながら前記第１所定減速度(G1)を通過した時点から前記第１時間面積(Slean)を積算開始するとともに同積算開始時点から第３所定時間(L3)が経過するまでに前記第１時間面積(Slean)が前記第１所定値(S1)を超えたとき前記熱倒れ状態が発生したと判定し、
前記熱倒れ状態復帰判定手段(５１，１２１０)は、
前記車体減速度(G)が減速度合いがより小さい方向へ変化しながら前記第２所定減速度(G2)を通過した時点から前記第２時間面積(Sret)を積算開始するとともに同積算開始時点から第４所定時間(L4)が経過するまでに前記第２時間面積(Sret)が前記第２所定値(S2)を超えたとき前記ブレーキディスク(D)が前記熱倒れ状態から復帰したと判定するように構成された車両用ディスクブレーキ制御装置。
【請求項１４】
請求項１乃至請求項１３の何れか一項に記載の車両用ディスクブレーキ制御装置において、
前記ディスクブレーキ装置の前記アクチュエータ(C,W,Pis)は、制動液圧により駆動されるように構成されていて、
前記押し付け手段(５１、図６のルーチン)は、
前記車両の全ての車輪について、前記アクチュエータ(C,W,Pis)に同一の制動液圧を付与して前記ブレーキパッド(Pin,Pout)を前記ブレーキディスク(D)へ押し付けるように構成された車両用ディスクブレーキ制御装置。
【請求項１５】
請求項１乃至請求項１４の何れか一項に記載の車両用ディスクブレーキ制御装置において、
前記押し付け手段(５１、図６のルーチン)は、
前記車両が旋回状態にあるか否かを判定する旋回状態判定手段を備え、
前記車両が旋回状態にあると判定される場合、前記ブレーキパッド(Pin,Pout)の前記ブレーキディスク(D)への前記押し付けを行わないように構成された車両用ディスクブレーキ制御装置。
【発明の詳細な説明】
【技術分野】
【０００１】
本発明は、ディスクブレーキ装置に適用される車両用ディスクブレーキ制御装置に関する。
【背景技術】
【０００２】
従来より、車両の車輪と一体で回転するブレーキディスクと、ブレーキディスクの摺動面に押し付け可能に配置されたブレーキパッドと、ブレーキパッドをブレーキディスクへ押し付けるアクチュエータとを備えたディスクブレーキ装置が広く知られている。
【０００３】
図１４、及び図１５は、制動液圧を利用した所謂可動キャリパ型のディスクブレーキ装置の主要断面図である。この可動キャリパ型のディスクブレーキ装置では、可動キャリパCは、車体側に固定された図示しないマウンティングに対してブレーキディスクDの軸方向（紙面横方向）に沿ってのみ相対移動可動に配置されている。
【０００４】
この可動キャリパC内に配設されたホイールシリンダW（図１５を参照）内に制動液圧が付与されると、ホイールシリンダW内にてピストンシールSにより液密的に摺動可能に配置されたピストンPisがブレーキディスクDの車体内側摺動面に向けて（紙面左方向に）駆動される。
【０００５】
この結果、ピストンPisのブレーキディスクD側の頂面に一体的に配置されたインナーパッド（車体内側のパッド）PinがブレーキディスクDの車体内側摺動面に押し付けられる。同時に、可動キャリパCはその反力を受けてピストンPisと反対方向に（紙面右方向に）駆動される。この結果、可動キャリパCと一体に配置されたアウターパッド（車体外側のパッド）PoutがブレーキディスクDの車体外側摺動面に押し付けられる。
【０００６】
即ち、ホイールシリンダW内に制動液圧が付与されると、インナーパッドPinとアウターパッドPoutとがそれぞれブレーキディスクDの対応する摺動面に向けて互いに反対方向に押し付けられる。この結果、ブレーキディスクDが制動液圧に応じた力をもってインナーパッドPinとアウターパッドPoutとに挟まれることで同制動液圧に応じた制動力が車輪に発生するようになっている。
【０００７】
図１４（ａ）は、正常な状態（且つ、ホイールシリンダW内に付与されていた制動液圧が開放された状態）における、インナーパッドPin、アウターパッドPout（即ち、可動キャリパC）、及びブレーキディスクDの間の正常な位置関係を示している。
【０００８】
図１４（ａ）に示すように、この正常状態では、インナーパッドPinとブレーキディスクDの車体内側摺動面との間、並びに、アウターパッドPoutとブレーキディスクDの車体外側摺動面との間にはそれぞれ隙間が形成され得る。特に、インナーパッドPinとブレーキディスクDの車体内側摺動面との間には隙間が形成され得る。これは、以下の理由に基づく。
【０００９】
即ち、ホイールシリンダW内への制動液圧の付与によりインナーピストンPinがブレーキディスクDの車体内側摺動面に向けて（紙面左方向へ）移動すると、その移動に伴ってピストンシールSは、ブレーキディスクDの車体内側摺動面に向けて（紙面左方向へ）弾性変形した形状に維持される。この状態で、制動液圧が開放されると、ピストンシールSは上記弾性変形に基づく復元力により元の形状に戻ろうとする。
【００１０】
このピストンシールSの復元力を受けてインナーピストンPinは、ブレーキディスクDの車体内側摺動面から離れる方向へ（紙面右方向へ）比較的大きく移動し得、この結果、インナーパッドPinとブレーキディスクDの車体内側摺動面との間には隙間が形成され得る。
【００１１】
以上のように、図１４（ａ）に示した正常状態では、パッドとブレーキディスクDの摺動面とが接触した状態で車輪（従って、ブレーキディスクD）が回転する現象（以下、「引き摺り」と称呼する。）が発生し難い。従って、インナーパッドPin、アウターパッドPout、及びブレーキディスクDの摺動面の磨耗が発生し難く、且つ、フェードが発生し難い。
【００１２】
ところで、係るディスクブレーキ装置では、頻繁なブレーキ操作等によりブレーキディスクの温度が上昇し得る。ブレーキディスクの温度が過度に上昇すると、例えば、下記特許文献１に記載されているように、その摺動面が傾く（倒れる）現象（本出願では、「熱倒れ」と称呼する。）が発生し得る。
【００１３】
図１４（ｂ）は、係る熱倒れによりブレーキディスクDの摺動面が車体外側に傾いた状態（熱倒れ状態）（且つ、制動液圧が開放されている状態）における、インナーパッドPin、アウターパッドPout（即ち、可動キャリパC）、及びブレーキディスクDの間の位置関係を示している。図１４（ｂ）に示したように、この熱倒れ状態では、インナーパッドPin、及びアウターパッドPoutのそれぞれの端部において、局所的な「引き摺り」が発生し易い。
【特許文献１】特開２００４−３６６５７号公報
【００１４】
一方、ブレーキ操作が行われない状態で車両が走行すると、ブレーキディスクは走行風の影響等により冷却されてブレーキディスクの温度は低下する。この結果、熱倒れ状態にあったブレーキディスクは同熱倒れ状態から復帰し得る（即ち、ブレーキディスクは正常な状態（形状）に復帰し得る）。
【００１５】
図１４（ｃ）（及び、図１４（ｃ）の要部拡大図である図１５）は、上述した図１４（ｂ）に示した状態からブレーキ操作が行われずに車両が走行することでブレーキディスクDが熱倒れ状態から復帰した状態（熱倒れ復帰状態）（且つ、制動液圧が開放されている状態）における、インナーパッドPin、アウターパッドPout（即ち、可動キャリパC）、及びブレーキディスクDの間の位置関係を示している。
【００１６】
図１４（ｃ）（及び、図１５）に示したように、この熱倒れ復帰状態では、アウターパッドPoutとブレーキディスクDの車体外側摺動面との間には隙間が形成され得る。これは、ブレーキディスクDの温度の低下に伴って、車体外側へ傾いていたブレーキディスクDの摺動面の位置が正常な位置へ復帰していき、ブレーキディスクDの車体外側摺動面がアウターパッドPoutから離れていくことに起因する。換言すれば、アウターパッドPoutの「引き摺り」は発生し難い。
【００１７】
一方、この熱倒れ復帰状態では、インナーパッドPoutの「引き摺り」が発生する。これは、ブレーキディスクDの温度の低下に伴って、ブレーキディスクDの車体内側摺動面がインナーパッドPinを（紙面右方向に）押しながら（即ち、上記車体内側摺動面とインナーパッドPinとが接触を維持しながら）、車体外側へ傾いていたブレーキディスクDの摺動面の位置が正常な位置へ復帰していくこと、並びに、上述した「ピストンシールSの復元力によるインナーピストンPinの（紙面右方向への）移動作用」が発生し得ないことに起因する。これにより、インナーパッドPin、及びブレーキディスクDの車体内側摺動面の磨耗が発生し易く、且つ、インナーパッドPinにおいてフェードが発生し易い。
【００１８】
以上のように、熱倒れ復帰状態では、ブレーキディスクに対するブレーキパッドの位置が上記正常状態と異なることに起因して、ブレーキパッドの「引き摺り」が発生するという問題が発生する。
【発明の開示】
【００１９】
本発明は係る問題に対処するためになされたものであって、その目的は、ディスクブレーキ装置に適用される車両用ディスクブレーキ制御装置であって、ブレーキディスクが熱倒れ状態から復帰した後において、ブレーキパッドの「引き摺り」を解消して、ブレーキパッド及びブレーキディスクの磨耗、並びに、ブレーキパッドのフェードを抑制し得るものを提供することにある。
【００２０】
本発明に係る車両用ディスクブレーキ制御装置は、ブレーキディスクと、ブレーキパッドと、前記ブレーキパッドを前記ブレーキディスクへ押し付けるアクチュエータとを備えたディスクブレーキ装置に適用される。
【００２１】
ディスクブレーキ装置としては、例えば、所謂可動キャリパ型、所謂対向ピストン型（固定キャリパ型）が挙げられる。また、ブレーキパッドを駆動するアクチュエータとしては、制動液圧を利用したもの（キャリパ内に形成されたホイールシリンダと、ホイールシリンダ内にて制動液圧により駆動されるブレーキパッドと一体のピストン）、モータを利用したもの（モータと、モータにより駆動されるブレーキパッドと一体の部材）等が挙げられる。
【００２２】
本発明に係る車両用ディスクブレーキ制御装置は、前記熱倒れ状態が発生しているか否かを判定する熱倒れ状態判定手段と、前記熱倒れ状態にあった前記ブレーキディスクが同熱倒れ状態から復帰したか否かを判定する熱倒れ状態復帰判定手段と、前記ブレーキディスクが前記熱倒れ状態から復帰したと判定された後、前記アクチュエータを制御して（運転者によるブレーキ操作とは独立して）前記ブレーキパッドを前記ブレーキディスクへ押し付ける押し付け手段とを備えている。
【００２３】
これによれば、上記熱倒れ復帰状態（即ち、ブレーキディスクが正常な形状に復帰した状態）と判定されると、ブレーキパッドがブレーキディスクへ押し付けられる。従って、（ブレーキパッドのブレーキディスクへの押し付けが終了した後において）ブレーキディスクに対するブレーキパッドの位置が正常な状態に自然に戻される。この結果、ブレーキパッドの「引き摺り」が解消されて、ブレーキパッド及びブレーキディスクの磨耗、並びに、ブレーキパッドのフェードが抑制され得る。
【００２４】
なお、上記押し付け手段によるブレーキパッドのブレーキディスクへの押し付け力は、ブレーキパッドを移動させてブレーキディスクの摺動面に同ブレーキパッドを接触させ得る力であってなるべく小さい力であることが好ましい。これにより、ブレーキパッドのブレーキディスクへの押し付けにより発生する制動力（以下、「パッド位置補正用制動力」と称呼する。）が必要最小限となり、この結果、車両の乗員がパッド位置補正用制動力から受ける違和感を小さくすることができる。
【００２５】
この場合、前記押し付け手段は、前記車両が、前記パッド位置補正用制動力を前記車両の乗員が感知し難い所定の走行状態になった場合にのみ、前記ブレーキパッドを前記ブレーキディスクへ押し付けるように構成されることが好適である。これによると、車両の乗員がパッド位置補正用制動力から受ける違和感をより小さくすることができる。
【００２６】
なお、「車両が、前記パッド位置補正用制動力を前記車両の乗員が感知し難い所定の走行状態になった場合」としては、例えば、車両挙動が変化する場合、車両の加速度、或いは減速度が変化する場合等が挙げられる。
【００２７】
より具体的には、例えば、前記押し付け手段は、前記車両にエンジンブレーキが発生したか否かを判定するエンジンブレーキ判定手段を備え、前記車両に前記エンジンブレーキが発生したと判定された場合に前記ブレーキパッドを前記ブレーキディスクへ押し付けるように構成されると好ましい。
【００２８】
この場合、前記押し付け手段は、前記エンジンブレーキによる制動力を調整するエンジンブレーキ調整手段を備え、前記ブレーキパッドを前記ブレーキディスクへ押し付けている間、前記パッド位置補正用制動力分だけ前記エンジンブレーキによる制動力を小さくするように構成されることが好適である。
【００２９】
これにより、ブレーキパッドを前記ブレーキディスクへ押し付けている間、車両に働く制動力の総和をエンジンブレーキによる制動力が単独で作用している場合と同じとすることができる。従って、車両の乗員がパッド位置補正用制動力から受ける違和感を更に一層小さくすることができる。
【００３０】
或いは、前記押し付け手段は、前記車両が加速状態になったか否かを判定する加速状態判定手段を備え、前記車両が加速状態になったと判定された場合に前記ブレーキパッドを前記ブレーキディスクへ押し付けるように構成されると好ましい。
【００３１】
この場合、前記押し付け手段は、前記車両のエンジンの駆動力を調整するエンジン駆動力調整手段を備え、前記ブレーキパッドを前記ブレーキディスクへ押し付けている間、前記パッド位置補正用制動力分だけ前記エンジンの駆動力を大きくするように構成されることが好適である。
【００３２】
これにより、ブレーキパッドを前記ブレーキディスクへ押し付けている間、車両に働く実質的な駆動力の大きさをエンジンの駆動力が単独で作用している場合と同じとすることができる。従って、これによっても、車両の乗員がパッド位置補正用制動力から受ける違和感を更に一層小さくすることができる。
【００３３】
また、前記押し付け手段は、前記車両が悪路を走行している状態にあるか否かを判定する悪路走行状態判定手段を備え、前記車両が悪路を走行している状態にあると判定された場合に前記ブレーキパッドを前記ブレーキディスクへ押し付けるように構成されてもよい。
【００３４】
車両が悪路を走行している場合、車両の加速度、或いは減速度が時々刻々と変化し得る。従って、この場合も、車両の乗員はパッド位置補正用制動力を感知し難くなる。即ち、上記構成によっても、車両の乗員がパッド位置補正用制動力から受ける違和感を更に一層小さくすることができる。
【００３５】
上記本発明に係る車両用ディスクブレーキ制御装置においては、前記ディスクブレーキ装置は、前記ブレーキディスクの温度を取得する温度取得手段を備え、前記熱倒れ状態判定手段は、前記取得されたブレーキディスクの温度が第１所定温度を超えたとき前記熱倒れ状態が発生したと判定し、前記熱倒れ状態復帰判定手段は、前記取得されたブレーキディスクの温度が前記第１所定温度よりも低い第２所定温度を下回ったとき前記ブレーキディスクが前記熱倒れ状態から復帰したと判定するように構成されることが好適である。
【００３６】
これによれば、ブレーキディスクの温度の取得結果に基づいて、熱倒れ状態の検出、及び熱倒れ状態からの復帰の検出を適切に行うことができる。なお、「熱倒れ状態が発生したとの判定」における「熱倒れ状態」とは、例えば、ブレーキディスクの摺動面の傾き角度が第１所定角度以上となる状態をいう。また、「熱倒れ状態から復帰したとの判定」における「熱倒れ状態からの復帰」とは、例えば、ブレーキディスクの摺動面の傾き角度が前記第１所定角度よりも小さい第２所定角度以下となる状態をいう。
【００３７】
前記温度取得手段は、例えば、ブレーキディスクの温度を物理的に直接検出する温度センサを含んで構成される。或いは、前記温度取得手段は、前記車両の運転者のブレーキ操作による前記ディスクブレーキ装置の作動により発生する前記車両の車体減速度から得られる前記ブレーキディスクへの蓄熱速度(温度上昇勾配)と、前記車両の車体速度から得られる前記ブレーキディスクからの放熱速度(温度加工勾配)とに基づいて前記ブレーキディスクの温度を計算により（微小時間の経過毎に）逐次推定していくように構成される。この場合、比較的高価な温度センサを省略できるから、装置全体のコストを安価とすることができる。
【００３８】
また、上記本発明に係る車両用ディスクブレーキ制御装置においては、前記ディスクブレーキ装置は、前記車両の車体減速度を取得する車体減速度取得手段を備え、前記熱倒れ状態判定手段は、前記車体減速度と第１所定減速度との比較に基づいて前記熱倒れ状態が発生したか否かを判定し、前記熱倒れ状態復帰判定手段は、前記車体減速度と前記第１所定減速度よりも減速度合いの小さい第２所定減速度との比較に基づいて前記ブレーキディスクが前記熱倒れ状態から復帰したか否かを判定するように構成されることが好適である。この場合、例えば、前記車体減速度が前記第１所定減速度よりも減速度合いが大きい値になったとき前記熱倒れ状態が発生したと判定し、前記車体減速度が前記第２所定減速度よりも減速度合いが小さい値になったとき前記ブレーキディスクが前記熱倒れ状態から復帰したと判定するように構成され得る。
【００３９】
車両走行中のディスクブレーキ装置の作動時においては、車両の減速度合いが大きいほど、ブレーキパッドのブレーキディスクへの押し付け力の程度、従って、ブレーキディスクの温度上昇の程度が大きくなる傾向がある。即ち、車体減速度は、ブレーキディスクの温度上昇の程度を比較的正確に表すパラメータとなり得る。
【００４０】
上記構成は係る知見に基づく。これによれば、ブレーキディスクの温度を取得（検出、推定）することなく、熱倒れ状態の検出、及び熱倒れ状態からの復帰の検出を適切に行うことができる。
【００４１】
この場合、前記熱倒れ状態判定手段は、前記車体減速度が前記第１所定減速度よりも減速度合いが大きい状態が第１所定時間だけ継続したとき前記熱倒れ状態が発生したと判定し、前記熱倒れ状態復帰判定手段は、前記車体減速度が前記第２所定減速度よりも減速度合いが小さい状態が第２所定時間だけ継続したとき前記ブレーキディスクが前記熱倒れ状態から復帰したと判定するように構成されることが好適である。
【００４２】
これによれば、前記車体減速度取得手段が受け得るノイズ等の影響による車体減速度の取得値の一時的な乱れに起因して、熱倒れ状態の検出、及び熱倒れ状態からの復帰の検出に係わる誤判定がなされる事態が抑制され得る。
【００４３】
或いは、前記熱倒れ状態判定手段は、前記車体減速度の前記第１所定減速度からの減速度合いがより大きい方向への偏差の積算値である第１時間面積が第１所定値を超えたとき前記熱倒れ状態が発生したと判定し、前記熱倒れ状態復帰判定手段は、前記車体減速度の前記第２所定減速度からの減速度合いがより小さい方向への偏差の積算値である第２時間面積が第２所定値を超えたとき前記ブレーキディスクが前記熱倒れ状態から復帰したと判定するように構成されることが好適である。
【００４４】
この場合、より好ましくは、前記車体減速度が減速度合いがより大きい方向へ変化しながら前記第１所定減速度を通過した時点から前記第１時間面積が（ゼロから）積算開始され、同積算開始時点から第３所定時間が経過するまでに前記第１時間面積が前記第１所定値を超えたとき前記熱倒れ状態が発生したと判定し、前記車体減速度が減速度合いがより小さい方向へ変化しながら前記第２所定減速度を通過した時点から前記第２時間面積が（ゼロから）積算開始されるとともに同積算開始時点から第４所定時間が経過するまでに前記第２時間面積が前記第２所定値を超えたとき前記ブレーキディスクが前記熱倒れ状態から復帰したと判定される。
【００４５】
これによっても、上記と同様、ノイズ等の影響による車体減速度の取得値の一時的な乱れに起因して、熱倒れ状態の検出、及び熱倒れ状態からの復帰の検出に係わる誤判定がなされる事態が抑制され得る。
【００４６】
上記本発明に係る車両用ディスクブレーキ制御装置においては、前記ディスクブレーキ装置の前記アクチュエータは、制動液圧により駆動されるように構成されていて、前記押し付け手段は、前記車両の全ての車輪について、前記アクチュエータに同一の制動液圧を付与して前記ブレーキパッドを前記ブレーキディスクへ押し付けるように構成されることが好適である。これによると、制動液圧の制御のために行われる電磁弁等の制御を簡易とすることができる。
【００４７】
また、上記本発明に係る車両用ディスクブレーキ制御装置においては、前記押し付け手段は、前記車両が旋回状態にあるか否かを判定する旋回状態判定手段を備え、前記車両が旋回状態にあると判定される場合、前記ブレーキパッドの前記ブレーキディスクへの前記押し付けを行わないように構成されると好適である。
【００４８】
旋回状態では、制動力の付与により車両挙動が不安定になる傾向が強い。上記構成によれば、旋回状態における上記パッド位置補正用制動力の付与が禁止されるから、旋回状態における上記パッド位置補正用制動力の付与により車両挙動が不安定になる事態の発生が防止され得る。
【発明を実施するための最良の形態】
【００４９】
以下、本発明に係る車両用ディスクブレーキ制御装置の実施形態について図面を参照しつつ説明する。図１は、本発明の実施形態に係るディスクブレーキ制御装置を含んだ車両の運動制御装置を搭載した車両の概略構成を示している。この車両は、前２輪が駆動輪である前輪駆動方式の車両である。
【００５０】
この運動制御装置１０は、駆動力を発生するとともに同駆動力を駆動輪FL,FRにそれぞれ伝達する駆動力伝達機構部２０と、車輪**のディスクブレーキ装置（のホイールシリンダ）に制動液圧を供給するためのブレーキ液圧制御装置３０と、各種センサ等から構成されるセンサ部４０と、電子制御装置５０とを含んで構成されている。なお、「**」は、何れの車輪に関するものかを示すための「fl」，「fr」等の包括表記である。
【００５１】
車輪**のディスクブレーキ装置は、上述した図１４、及び図１５に示した可動キャリパ型のディスクブレーキ装置と同じ構成を備えている。従って、ここでは、それらの構成・作動についての詳細な説明を省略する。
【００５２】
駆動力伝達機構部２０は、駆動力を発生するエンジン２１と、同エンジン２１の吸気管２１ａ内に配置されるとともに吸気通路の開口断面積を可変とするスロットル弁THの開度TAを制御するＤＣモータからなるスロットル弁アクチュエータ２２と、エンジン２１の図示しない吸気ポート近傍に燃料を噴射するインジェクタを含む燃料噴射装置２３と、エンジン２１の出力軸に入力軸が接続された自動変速機（ＡＴ）２４と、ＡＴ２４の出力軸から伝達される駆動力を適宜配分し同配分された駆動力を前輪FL,FRにそれぞれ伝達するディファレンシャル２５を含んで構成されている。
【００５３】
ブレーキ液圧制御装置３０は、その概略構成を表す図２に示すように、ブレーキペダルＢＰの操作力に応じたブレーキ液圧を発生するブレーキ液圧発生部３２と、車輪**に配置されたホイールシリンダW**に供給するブレーキ液圧をそれぞれ調整可能なRRブレーキ液圧調整部３３，FLブレーキ液圧調整部３４，FRブレーキ液圧調整部３５，RLブレーキ液圧調整部３６と、還流ブレーキ液供給部３７とを含んで構成されている。
【００５４】
ブレーキ液圧発生部３２は、ブレーキペダルＢＰの作動により応動するバキュームブースタＶＢと、バキュームブースタＶＢに連結されたマスタシリンダＭＣとから構成されている。
【００５５】
これらマスタシリンダＭＣ及びバキュームブースタＶＢの構成及び作動は周知であるので、ここではそれらの詳細な説明を省略する。このようにして、マスタシリンダＭＣ及びバキュームブースタＶＢ（ブレーキ液圧発生手段）は、ブレーキペダルＢＰの操作力に応じた第１マスタシリンダ液圧及び第２マスタシリンダ液圧をそれぞれ発生するようになっている。
【００５６】
マスタシリンダＭＣの第１ポートと、RRブレーキ液圧調整部３３及びFLブレーキ液圧調整部３４の上流部との間には、常開リニア電磁弁ＰＣ1が介装されている。同様に、マスタシリンダＭＣの第２ポートと、FRブレーキ液圧調整部３５及びRLブレーキ液圧調整部３６の上流部との間には、常開リニア電磁弁ＰＣ2が介装されている。係る常開リニア電磁弁ＰＣ1，ＰＣ2の詳細については後述する。
【００５７】
RRブレーキ液圧調整部３３は、２ポート２位置切換型の常開電磁開閉弁である増圧弁ＰＵrrと、２ポート２位置切換型の常閉電磁開閉弁である減圧弁ＰＤrrとから構成されている。増圧弁ＰＵrr、及び減圧弁ＰＤrrを制御することでホイールシリンダWrr内のブレーキ液圧（ホイールシリンダ液圧Pwrr）が増圧・保持・減圧され得るようになっている。
【００５８】
同様に、FLブレーキ液圧調整部３４，FRブレーキ液圧調整部３５、RLブレーキ液圧調整部３６は、それぞれ、増圧弁ＰＵfl及び減圧弁ＰＤfl，増圧弁ＰＵfr及び減圧弁ＰＤfr，増圧弁ＰＵrl及び減圧弁ＰＤrlから構成されている。
【００５９】
還流ブレーキ液供給部３７は、直流モータＭＴと、同モータＭＴにより同時に駆動される２つの液圧ポンプ（例えば、ギヤポンプ）ＨＰ1，ＨＰ2を含んでいる。液圧ポンプＨＰ1は、減圧弁ＰＤrr，ＰＤflから還流されてきたリザーバＲＳ1内のブレーキ液を汲み上げ、同汲み上げたブレーキ液をチェック弁ＣＶ８を介してRRブレーキ液圧調整部３３及びFLブレーキ液圧調整部３４の上流部に供給するようになっている。
【００６０】
同様に、液圧ポンプＨＰ2は、減圧弁ＰＤfr，ＰＤrlから還流されてきたリザーバＲＳ2内のブレーキ液を汲み上げ、同汲み上げたブレーキ液をチェック弁ＣＶ１１を介してFRブレーキ液圧調整部３５及びRLブレーキ液圧調整部３６の上流部に供給するようになっている。
【００６１】
次に、常開リニア電磁弁ＰＣ1について説明する。常開リニア電磁弁ＰＣ1の弁体には、図示しないコイルスプリングからの付勢力に基づく開方向の力が常時作用しているとともに、RRブレーキ液圧調整部３３及びFLブレーキ液圧調整部３４の上流部の圧力から第１マスタシリンダ液圧Pmを減じることで得られる差圧（以下、単に「実差圧」と云うこともある。）に基づく開方向の力と、常開リニア電磁弁ＰＣ1への通電電流に応じて比例的に増加する吸引力に基づく閉方向の力が作用するようになっている。
【００６２】
この結果、上記吸引力に相当する差圧（以下、「指令差圧ΔPd」と称呼する。）が通電電流に応じて比例的に増加するように決定される。そして、常開リニア電磁弁ＰＣ1は、指令差圧ΔPdが上記実差圧よりも大きいときに閉弁してマスタシリンダＭＣの第１ポートと、RRブレーキ液圧調整部３３及びFLブレーキ液圧調整部３４の上流部との連通を遮断する。
【００６３】
一方、常開リニア電磁弁ＰＣ1は、指令差圧ΔPdが実差圧よりも小さいとき開弁してマスタシリンダＭＣの第１ポートと、RRブレーキ液圧調整部３３及びFLブレーキ液圧調整部３４の上流部とを連通する。この結果、（液圧ポンプＨＰ1から供給されている）RRブレーキ液圧調整部３３及びFLブレーキ液圧調整部３４の上流部のブレーキ液が常開リニア電磁弁ＰＣ1を介してマスタシリンダＭＣの第１ポート側に流れることで実差圧が指令差圧ΔPdに一致するように調整され得るようになっている。なお、マスタシリンダＭＣの第１ポート側へ流入したブレーキ液はリザーバＲＳ1へと還流される。
【００６４】
換言すれば、モータＭＴ（従って、液圧ポンプＨＰ1，ＨＰ2）が駆動されている場合、常開リニア電磁弁ＰＣ1への通電電流に応じて上記実差圧（の許容最大値）が制御され得るようになっている。このとき、RRブレーキ液圧調整部及びFLブレーキ液圧調整部３４の上流部の圧力は、第１マスタシリンダ液圧Pmに実差圧（＝指令差圧ΔPd）を加えた値（Pm＋ΔPd）となる。
【００６５】
他方、常開リニア電磁弁ＰＣ1を非励磁状態にすると（即ち、通電電流を「０」に設定すると）、常開リニア電磁弁ＰＣ1はコイルスプリングの付勢力により開状態を維持するようになっている。このとき、実差圧が「０」になって、RRブレーキ液圧調整部３３及びFLブレーキ液圧調整部３４の上流部の圧力が第１マスタシリンダ液圧Pmと等しくなる。
【００６６】
常開リニア電磁弁ＰＣ2も、その構成・作動について常開リニア電磁弁ＰＣ1のものと同様である。従って、モータＭＴ（従って、液圧ポンプＨＰ1，ＨＰ2）が駆動されている場合、常開リニア電磁弁ＰＣ2への通電電流に応じて、FRブレーキ液圧調整部３５及びRLブレーキ液圧調整部３６の上流部の圧力は、第２マスタシリンダ液圧Pmに指令差圧ΔPdを加えた値（Pm＋ΔPd）となる。他方、常開リニア電磁弁ＰＣ2を非励磁状態にすると、FRブレーキ液圧調整部３５及びRLブレーキ液圧調整部３６の上流部の圧力が第２マスタシリンダ液圧Pmと等しくなる。
【００６７】
加えて、常開リニア電磁弁ＰＣ1には、ブレーキ液の、マスタシリンダＭＣの第１ポートから、RRブレーキ液圧調整部３３及びFLブレーキ液圧調整部３４の上流部への一方向の流れのみを許容するチェック弁ＣＶ５が並列に配設されている。これにより、常開リニア電磁弁ＰＣ1への通電電流に応じて実差圧が制御されている間においても、ブレーキペダルＢＰが操作されることで第１マスタシリンダ液圧PmがRRブレーキ液圧調整部３３及びFLブレーキ液圧調整部３４の上流部の圧力よりも高い圧力になったとき、ブレーキペダルＢＰの操作力に応じたブレーキ液圧（即ち、第１マスタシリンダ液圧Pm）そのものがホイールシリンダWrr，Wflに供給され得るようになっている。また、常開リニア電磁弁ＰＣ2にも、上記チェック弁ＣＶ５と同様の機能を達成し得るチェック弁ＣＶ６が並列に配設されている。
【００６８】
以上、説明した構成により、ブレーキ液圧制御装置３０は、右後輪RRと左前輪FLとに係わる系統と、左後輪RLと右前輪FRとに係わる系統の２系統の液圧回路から構成されている。ブレーキ液圧制御装置３０は、全ての電磁弁が非励磁状態（通電電流＝０）にあるときブレーキペダルＢＰの操作力に応じたブレーキ液圧（即ち、マスタシリンダ液圧Pm）をホイールシリンダW**にそれぞれ供給できるようになっている。
【００６９】
他方、この状態において、モータＭＴ（従って、液圧ポンプＨＰ1，ＨＰ2）を駆動するとともに、常開リニア電磁弁ＰＣ1，ＰＣ2をそれぞれ励磁（通電電流≠０）すると、マスタシリンダ液圧Pmよりも通電電流に応じて決定される指令差圧ΔPdだけ高いブレーキ液圧をホイールシリンダW**にそれぞれ供給できるようになっている。
【００７０】
加えて、ブレーキ液圧制御装置３０は、増圧弁ＰＵ**、及び減圧弁ＰＤ**を制御することでホイールシリンダ液圧Pw**を個別に調整できるようになっている。即ち、ブレーキ液圧制御装置３０は、運転者によるブレーキペダルＢＰの操作とは独立して、各車輪に付与される制動力を車輪毎に個別に調整できるようになっている。
【００７１】
以上の構成により、ブレーキ液圧制御装置３０は、後述するように、電子制御装置５０からの指示により、運転者によるブレーキペダルＢＰの操作がなされていない間において、上記パッド位置補正用制動力を付与できるようになっている。
【００７２】
再び図１を参照すると、センサ部４０は、車輪**の車輪速度に応じた周波数を有する信号をそれぞれ出力する電磁ピックアップ式の車輪速度センサ４１**と、運転者により操作されるアクセルペダルＡＰの操作量を検出し、アクセルペダルＡＰの操作量Accpを示す信号を出力するアクセル開度センサ４２と、運転者によるブレーキペダルＢＰの操作力を検出し、ブレーキペダル踏力Fpを示す信号を出力するブレーキペダル踏力センサ４３と、車輪**のブレーキディスクD**の温度を代表する右前輪FRのブレーキディスクDfrの温度を検出し、ブレーキディスク温度Tを示す信号を出力する温度センサ４４とを備えている。
【００７３】
電子制御装置５０は、互いにバスで接続されたＣＰＵ５１、ＣＰＵ５１が実行するルーチン（プログラム）、テーブル（ルックアップテーブル、マップ）、定数等を予め記憶したＲＯＭ５２、ＣＰＵ５１が必要に応じてデータを一時的に格納するＲＡＭ５３、電源が投入された状態でデータを格納するとともに同格納したデータを電源が遮断されている間も保持するバックアップＲＡＭ５４、及びＡＤコンバータを含むインターフェース５５等からなるマイクロコンピュータである。インターフェース５５は、前記センサ等４１〜４４と接続され、センサ等４１〜４４からの信号をＣＰＵ５１に供給するとともに、同ＣＰＵ５１の指示に応じてブレーキ液圧制御装置３０の各電磁弁及びモータＭＴ、スロットル弁アクチュエータ２２、及び燃料噴射装置２３に駆動信号を送出するようになっている。
【００７４】
これにより、スロットル弁アクチュエータ２２は、原則的に、スロットル弁THの開度TAがアクセルペダルＡＰの操作量Accpに応じた開度になるように同スロットル弁THを駆動するとともに、燃料噴射装置２３は、筒内（シリンダ内）に吸入された空気量である筒内吸入空気量に対して所定の目標空燃比（例えば、理論空燃比）を得るために必要な量の燃料を噴射するようになっている。
【００７５】
（パッド位置補正用制動力の付与の概要）
次に、上記構成を有する本発明の実施形態に係るディスクブレーキ制御装置を含んだ運動制御装置（以下、「本装置」と云うこともある。）による上記「パッド位置補正用制動力」の付与の概要について説明する。
【００７６】
上述したように、本装置により制御される図１４、及び図１５に示した可動キャリパ型のディスクブレーキ装置では、頻繁なブレーキ操作等によりブレーキディスクDの温度が過度に上昇すると、その摺動面が傾く（倒れる）現象（即ち、上記「熱倒れ」）が発生し得る。一方、その後、走行風の影響等によりブレーキディスクDの温度が低下すると、ブレーキディスクDは熱倒れ状態から復帰し得る（即ち、ブレーキディスクDは正常な状態（形状）に復帰し得る）。
【００７７】
ブレーキディスクDの摺動面の傾き角度は、ブレーキディスクDの温度が高いほど大きい。ブレーキディスクDの摺動面の傾き角度が第１所定角度となるブレーキディスクDの温度をT1、ブレーキディスクDの摺動面の傾き角度が上記第１所定角度よりも小さい第２所定角度となるブレーキディスクDの温度をT2（＜T1）とすると、本装置では、温度センサ４４から得られるブレーキディスク温度Tが値T1を超えたとき「熱倒れ状態が発生した」と判定される。一方、熱倒れ状態にあるブレーキディスクDの温度Tが値T2を下回ったとき「熱倒れ状態から復帰した（熱倒れ復帰状態）」と判定される。
【００７８】
図３（ａ）は、「熱倒れ復帰状態」と判定されている場合（且つ、ブレーキ液圧が開放されている状態）における、インナーパッドPin、アウターパッドPout（即ち、可動キャリパC）、及びブレーキディスクDの間の位置関係を示している。上述した図１４(ｃ)に示した場合と同様、図３（ａ）に示した「熱倒れ復帰状態」では、アウターパッドPoutとブレーキディスクDの車体外側摺動面との間には隙間が形成され得、アウターパッドPoutの「引き摺り」は発生し難い。一方、インナーパッドPoutについては「引き摺り」が発生し易い。
【００７９】
そこで、本装置は、「熱倒れ復帰状態」におけるインナーパッドPinの「引き摺り」を解消するため、上述したように「熱倒れ状態から復帰した」と判定した後における所定のタイミングで、ブレーキ液圧制御装置３０を制御して全ての車輪のホイールシリンダW**に同一の微小液圧を所定時間（例えば、約１秒）だけ付与する。
【００８０】
なお、係る所定のタイミングについては、後述するフローチャートを参照しながら説明する。また、上記微小液圧は、ブレーキパッド（インナーパッドPin及びアウターパッドPout）を移動させてブレーキディスクDの摺動面に接触させ得る液圧であってなるべく小さい液圧に設定されている。
【００８１】
これにより、図３（ｂ）に示すように、ピストンPis（即ち、インナーパッドPin）と可動キャリパC（即ち、アウターパッドPout）とが上記微小液圧に応じた力によりブレーキディスクDに向けてそれぞれ移動する。この結果、インナーパッドPin及びアウターパッドPoutは、既に正常な形状に復帰しているブレーキディスクDの車体内側摺動面及び車体外側摺動面を上記微小液圧に応じた力をもってそれぞれ押圧する。即ち、上記微小液圧に応じた上記パッド位置補正用制動力が全ての車輪に発生する。
【００８２】
図３（ｃ）は、係る上記パッド位置補正用制動力が開放された後（即ち、上記微小液圧が開放された後）における、インナーパッドPin、アウターパッドPout（即ち、可動キャリパC）、及びブレーキディスクDの間の位置関係を示している。図３（ｃ）に示すように、この場合におけるブレーキディスクDに対するインナーパッドPin及びアウターパッドPoutの位置は、上述した図１４(ａ)に示した「正常状態」と同じとなる。
【００８３】
即ち、インナーパッドPinとブレーキディスクDの車体内側摺動面との間、並びに、アウターパッドPoutとブレーキディスクDの車体外側摺動面との間にはそれぞれ隙間が形成され得る。この結果、上述した「熱倒れ復帰状態」におけるインナーパッドPinの「引き摺り」が解消される。
【００８４】
以上、説明したように、本装置は、「熱倒れ復帰状態」と判定された後の所定のタイミングにおいて、所定時間（例えば、約１秒）だけ、運転者によるブレーキペダル操作とは独立して、全てのホイールシリンダW**に上記微小液圧を付与することで「熱倒れ復帰状態」におけるインナーパッドPinの「引き摺り」を解消する。以上が、パッド位置補正用制動力の付与の概要である。
【００８５】
（実際の作動）
次に、以上のように構成された本装置の実際の作動について、電子制御装置５０のＣＰＵ５１が実行するルーチンをフローチャートにより示した図４、及び図６を参照しながら説明する。以下、フラグＬＥＡＮは、その値が「１」のとき「熱倒れ状態」にあることを示しその値が「０」のとき「熱倒れ状態」にないことを示す。フラグＲＥＴは、その値が「１」のとき「熱倒れ復帰状態」にあることを示しその値が「０」のとき「熱倒れ復帰状態」にないことを示す。
【００８６】
ＣＰＵ５１は、図４に示した熱倒れ判定を行うルーチンを所定時間（実行間隔時間Δｔ。例えば、６msec）の経過毎に繰り返し実行している。従って、所定のタイミングになると、ＣＰＵ５１はステップ４００から処理を開始し、ステップ４０５に進んで、フラグＬＥＡＮの値が「１」であるか否かを判定する。
【００８７】
いま、図５の時刻ｔ１以前に示すように、温度センサ４４から得られるブレーキディスク温度Tが値T2より低く、フラグＬＥＡＮの値、及びフラグＲＥＴの値は共に初期値「０」になっているものとして説明を続ける。
【００８８】
この場合、ＣＰＵ５１はステップ４０５にて「Ｎｏ」と判定してステップ４１０に進み、ブレーキディスク温度Tが値T1を超えたか否かをモニタする。現時点では、ブレーキディスク温度Tは値T1よりも低い。従って、ＣＰＵ５１はステップ４１０にて「Ｎｏ」と判定してステップ４９５に直ちに進んで本ルーチンを一旦終了する。このような処理は、ブレーキディスク温度Tが値T1を超えるまで繰り返し実行される。
【００８９】
次に、運転者による頻繁なブレーキ操作等により、図５の時刻ｔ１に示すように、ブレーキディスク温度Tが上昇しながら値T1を超えた場合（即ち、「熱倒れ状態」にある場合）について説明する。この場合、ＣＰＵ５１はステップ４１０に進んだとき「Ｙｅｓ」と判定してステップ４１５に進み、フラグＬＥＡＮの値を「０」から「１」に変更し、続くステップ４２０にてフラグＲＥＴの値を「０」に設定する。
【００９０】
これにより、フラグＬＥＡＮの値が「１」になっているから、ＣＰＵ５１はステップ４０５に進んだとき「Ｙｅｓ」と判定してステップ４２５に進むようになり、ステップ４２５にてブレーキディスク温度Tが値T2を下回ったか否かをモニタする。現時点は、ブレーキディスク温度Tが値T1を超えた直後であるから、ブレーキディスク温度Tは値T2よりも高い。
【００９１】
従って、ＣＰＵ５１はステップ４２５にて「Ｎｏ」と判定してステップ４９５に直ちに進んで本ルーチンを一旦終了する。このような処理は、ブレーキディスク温度Tが値T2を下回るまで繰り返し実行される。
【００９２】
次に、走行風の影響等により、図５の時刻ｔ２に示すように、ブレーキディスク温度Tが減少しながら値T2を下回った場合（即ち、「熱倒れ復帰状態」にある場合）について説明する。この場合、ＣＰＵ５１はステップ４２５に進んだとき「Ｙｅｓ」と判定してステップ４３０に進み、フラグＲＥＴの値を「０」から「１」に変更し、続くステップ４３５にてフラグＬＥＡＮの値を「１」から「０」に変更する。
【００９３】
これにより、フラグＬＥＡＮの値が「０」になっているから、ＣＰＵ５１はステップ４０５に進んだとき再び「Ｎｏ」と判定してステップ４１０に進み、ステップ４１０にてブレーキディスク温度Tが値T1を超えたか否かを再びモニタするようになる。
【００９４】
このように、このルーチンの繰り返し実行により、ブレーキディスク温度Tが上昇しながら値T1を超える毎に、フラグＬＥＡＮ＝１、フラグＲＥＴ＝０に設定され（熱倒れ状態）、ブレーキディスク温度Tが減少しながら値T2を下回る毎に、フラグＬＥＡＮ＝０、フラグＲＥＴ＝１に設定される（熱倒れ復帰状態）。
【００９５】
また、ＣＰＵ５１は、図６に示したパッド押し付け処理を行うルーチンを所定時間（実行間隔時間Δｔ。例えば、６msec）の経過毎に繰り返し実行している。従って、所定のタイミングになると、ＣＰＵ５１はステップ６００から処理を開始し、ステップ６０５に進んで、ブレーキペダル踏力センサ４３から得られるブレーキペダル踏力Fp＝０（即ち、ブレーキペダル非操作状態）であるか否かを判定し、「Ｎｏ」と判定する場合、ステップ６９５に直ちに進んで本ルーチンを一旦終了する。
【００９６】
いま、運転者によりブレーキペダルＢＰが操作されておらず（Fp＝０）、且つ、「熱倒れ復帰状態（ＬＥＡＮ＝０，ＲＥＴ＝１）」にある（即ち、インナーパッドPinの「引き摺り」が発生している）ものとすると、ＣＰＵ５１はステップ６０５に進んだとき「Ｙｅｓ」と判定してステップ６１０に進み、フラグＲＥＴの値が「１」であるか否かを判定し、「Ｎｏ」と判定する場合、ステップ６９５に直ちに進んで本ルーチンを一旦終了する。
【００９７】
上記仮定により、現時点は、フラグＲＥＴ＝１となっているから、ＣＰＵ５１はステップ６１０にて「Ｙｅｓ」と判定してステップ６１５に進み、「エンジンブレーキ発生状態」にあるか否かを判定する。「エンジンブレーキ発生状態」にあることは、本例では、「アクセル開度センサ４２から得られるアクセルペダル操作量Accpの値が「０」以外から「０」に変更されたこと」で検出される。
【００９８】
ＣＰＵ５１はステップ６１５にて「Ｎｏ」と判定する場合、ステップ６２０に進み、「加速状態」にあるか否かを判定する。「加速状態」にあることは、本例では、「アクセル開度センサ４２から得られるアクセルペダル操作量Accpの変化速度dAccp/dtの値が正の所定値以上となったこと」で検出される。
【００９９】
ＣＰＵ５１はステップ６２０にて「Ｎｏ」と判定する場合、ステップ６２５に進み、「悪路走行状態」にあるか否かを判定する。「悪路走行状態」にあることは、本例では、「所定期間内において、車輪速度センサ４１から得られる車輪速度Vwの変化速度dVw/dtの値が正の所定値以上となる回数が所定回数以上となったこと」で検出される。
【０１００】
ＣＰＵ５１はステップ６２５にて「Ｎｏ」と判定する場合、ステップ６９５に直ちに進んだ本ルーチンを一旦終了する。このように、この場合、即ち、ブレーキペダル非操作状態、且つ、「熱倒れ復帰状態」であるが「エンジンブレーキ発生状態」、「加速状態」、「悪路走行状態」の何れでもない場合、上記パッド位置補正用制動力の付与（即ち、パッド押し付け処理）が実行されない。
【０１０１】
次に、ブレーキペダル非操作状態、且つ、「熱倒れ復帰状態（ＲＥＴ＝１）」であって、「エンジンブレーキ発生状態」が検出された場合について説明する。この場合、ＣＰＵ５１はステップ６１５に進んだとき「Ｙｅｓ」と判定してステップ６３０に進み、所定時間の間だけ全ての車輪のホイールシリンダW**に上記微小液圧が付与されるように、ブレーキ液圧制御装置３０の電磁弁（具体的には、常開リニア電磁弁ＰＣ1,ＰＣ2）、モータＭＴ等に対して制御指示を行う。
【０１０２】
加えて、ＣＰＵ５１はステップ６３５に進んで、上記微小液圧が付与されている上記所定時間の間、上記微小液圧の付与により発生する制動力（即ち、上記パッド位置補正用制動力）分だけ車輪に伝達される「エンジン２１のエンジンブレーキによる制動力」を小さくするように、ＡＴ２４等に対して制御指示を行う。車輪に伝達される「エンジンブレーキによる制動力」をＡＴ２４を利用して調整する手法については周知であるから、ここではその詳細な説明を省略する。
【０１０３】
そして、ＣＰＵ５１はステップ６５５に進んで、フラグＲＥＴの値を「１」から「０」に変更した後、ステップ６９５に進んで本ルーチンを一旦終了する。以降、フラグＲＥＴ＝０となるから、ＣＰＵ５１はステップ６１０に進んだとき「Ｎｏ」と判定してステップ６９５に直ちに進むようになる。
【０１０４】
上述したステップ６３０における制御指示により、全ての車輪のホイールシリンダW**に対して、所定時間の間だけ上記微小液圧が付与される（即ち、パッド位置補正用制動力が付与される）。従って、上記所定時間が経過して上記パッド位置補正用制動力が開放されると、ブレーキディスクDに対するインナーパッドPin及びアウターパッドPoutの位置は、上述した図３(ｃ)に示したように正常となり、この結果、上述した「熱倒れ復帰状態」におけるインナーパッドPinの「引き摺り」が解消される。
【０１０５】
加えて、上述したステップ６３５における制御指示により、上記所定時間の間、車両に働く制動力の総和をエンジン２１のエンジンブレーキによる制動力が単独で作用している場合と同じとすることができる。従って、車両の乗員がパッド位置補正用制動力から受ける違和感を小さくすることができる。
【０１０６】
次に、ブレーキペダル非操作状態、且つ、「熱倒れ復帰状態（ＲＥＴ＝１）」であって、「加速状態」が検出された場合について説明する。この場合、ＣＰＵ５１はステップ６２０に進んだとき「Ｙｅｓ」と判定してステップ６４０に進み、上述したステップ６３０と同じ制御指示をブレーキ液圧制御装置３０の電磁弁（具体的には、常開リニア電磁弁ＰＣ1,ＰＣ2）、モータＭＴ等に対して行う。
【０１０７】
加えて、ＣＰＵ５１はステップ６４５に進んで、上記微小液圧が付与されている上記所定時間の間、上記微小液圧の付与により発生する制動力（即ち、上記パッド位置補正用制動力）分だけエンジン２１の駆動力を大きくするように、エンジン２１に対して制御指示を行う。この場合、具体的には、上記所定時間の間、上記パッド位置補正用制動力に対応する分だけ噴射燃料量が増大される。
【０１０８】
そして、ＣＰＵ５１はステップ６５５に進んで、フラグＲＥＴの値を「１」から「０」に変更した後、ステップ６９５に進んで本ルーチンを一旦終了する。
【０１０９】
これにより、上述した「エンジンブレーキ発生状態」が検出された場合と同様、全ての車輪のホイールシリンダW**に対して、所定時間の間だけ上記微小液圧が付与され、これにより、上述した「熱倒れ復帰状態」におけるインナーパッドPinの「引き摺り」が解消される。
【０１１０】
加えて、上述したステップ６４５における制御指示により、上記所定時間の間、車両に働く実質的な駆動力の大きさをエンジン２１の駆動力が単独で作用している場合と同じとすることができる。従って、車両の乗員がパッド位置補正用制動力から受ける違和感を小さくすることができる。
【０１１１】
次に、ブレーキペダル非操作状態、且つ、「熱倒れ復帰状態（ＲＥＴ＝１）」であって、「悪路走行状態」が検出された場合について説明する。この場合、ＣＰＵ５１はステップ６２５に進んだとき「Ｙｅｓ」と判定してステップ６５０に進み、上述したステップ６３０と同じ制御指示をブレーキ液圧制御装置３０の電磁弁（具体的には、常開リニア電磁弁ＰＣ1,ＰＣ2）、モータＭＴ等に対して行う。
【０１１２】
そして、ＣＰＵ５１はステップ６５５に進んで、フラグＲＥＴの値を「１」から「０」に変更した後、ステップ６９５に進んで本ルーチンを一旦終了する。
【０１１３】
これにより、上述した「エンジンブレーキ発生状態」が検出された場合と同様、全ての車輪のホイールシリンダW**に対して、所定時間の間だけ上記微小液圧が付与され、これにより、上述した「熱倒れ復帰状態」におけるインナーパッドPinの「引き摺り」が解消される。
【０１１４】
このように、ブレーキペダル非操作状態（Fp＝０）、且つ、「熱倒れ復帰状態（ＲＥＴ＝１）」である場合であって、且つ、「エンジンブレーキ発生状態」、「加速状態」、「悪路走行状態」の何れかが検出されている場合（前記所定の走行状態に対応）にのみ、上記微小液圧の付与が実行される。
【０１１５】
ここで、「エンジンブレーキ発生状態」、「加速状態」、「悪路走行状態」は何れも、車両の加速度、或いは減速度が変化する場合であり、上述した「パッド位置補正用制動力を車両の乗員が感知し難い場合」に対応している。従って、車両の乗員がパッド位置補正用制動力から受ける違和感を小さくすることができる。
【０１１６】
以上、説明したように、本発明の実施形態に係るディスクブレーキ制御装置によれば、「熱倒れ状態から復帰した」と判定された後の所定のタイミングにおいて、所定時間（例えば、約１秒）だけ、運転者によるブレーキペダル操作とは独立して、全てのホイールシリンダW**に上記微小液圧を付与する。
【０１１７】
これにより、上記微小液圧が開放された後において、ブレーキディスクDに対するインナーパッドPin及びアウターパッドPoutの位置が正常位置に戻されて、「熱倒れ復帰状態」において発生するインナーパッドPinの「引き摺り」が解消される。この結果、インナーパッドPin及びブレーキディスクDの磨耗、並びに、インナーパッドPinのフェードが抑制され得る。
【０１１８】
本発明は上記実施形態に限定されることはなく、本発明の範囲内において種々の変形例を採用することができる。例えば、上記実施形態においては、車輪**のブレーキディスクD**の温度を代表して右前輪FR（１輪）のブレーキディスクDfrの温度が、熱倒れ判定（図４のルーチン）に使用されるブレーキディスク温度Tとして使用されているが、２以上の車輪のブレーキディスクD**の温度に基づいて得られる温度が、熱倒れ判定（図４のルーチン）に使用されるブレーキディスク温度Tとして使用されてもよい。
【０１１９】
この場合、熱倒れ判定（図４のルーチン）に使用されるブレーキディスク温度Tとして、例えば、前２輪のブレーキディスクDf*の温度の平均値、後２輪のブレーキディスクDr*の温度の平均値、車体右側２輪のブレーキディスクD*rの温度の平均値、車体左側２輪のブレーキディスクD*lの温度の平均値、全輪（４輪）のブレーキディスクD**の温度の平均値等が使用され得る。これらの場合、ブレーキディスクの温度が使用される全ての車輪についてブレーキディスクの温度を検出する温度センサがそれぞれ必要となる。
【０１２０】
また、上記実施形態においては、全てのホイールシリンダW**に同一の上記微小液圧を付与するように構成されているが、前２輪に付与する微小液圧と後２輪に付与する微小液圧の配分を周知の前後制動力配分と同じとしてもよい。
【０１２１】
また、上記実施形態においては、車両が旋回状態にあると判定される場合、上記微小液圧の付与を行わないように構成してもよい。これにより、旋回状態における上記微小液圧の付与（従って、上記パッド位置補正用制動力の付与）により車両挙動が不安定になる事態の発生が防止される。「旋回状態」の判定は、車両のヨーレイトセンサ、ステアリング角度センサ、ナビゲーションシステム等からの情報等に基づく周知の手法によって行われ得る。
【０１２２】
また、上記実施形態においては、「熱倒れ復帰状態（ＲＥＴ＝１）」が判定される毎に上記微小液圧の付与が１回のみなされるように構成されているが（ステップ６５５、ステップ６１０を参照）、「熱倒れ復帰状態（ＲＥＴ＝１）」が判定された後、「熱倒れ状態（ＬＥＡＮ＝１）」が判定されるまでの間において、「エンジンブレーキ発生状態」、「加速状態」、「悪路走行状態」の何れかが検出される毎に毎回、上記微小液圧の付与が実行されるように構成してもよい。この場合、図６のステップ６５５が省略される。
【０１２３】
また、上記実施形態においては、「熱倒れ復帰状態（ＲＥＴ＝１）」が判定され、且つ、「エンジンブレーキ発生状態」、「加速状態」、「悪路走行状態」の何れかが検出されている場合（前記所定の走行状態に対応）にのみ上記微小液圧の付与が実行されるように構成されているが、「熱倒れ復帰状態（ＲＥＴ＝１）」が判定された後、直ちに、上記微小液圧の付与が実行されるように構成してもよい。
【０１２４】
また、上記実施形態においては、ディスクブレーキ装置として制動液圧を利用した所謂可動キャリパ型のディスクブレーキ装置が使用されているが、制動液圧を利用した所謂対向ピストン型（固定キャリパ型）のディスクブレーキ装置が使用されてもよい。
【０１２５】
また、上記実施形態においては、ディスクブレーキ装置として制動液圧を利用したディスクブレーキ装置が使用されているが、モータの駆動力によりブレーキパッドをブレーキディスクに押し付ける形式のディスクブレーキ装置が使用されてもよい。
【０１２６】
また、上記実施形態においては、熱倒れ判定（図４のルーチン）に使用されるブレーキディスク温度Tとして、温度センサ４４により検出されるブレーキディスクDの温度が使用されているが、ブレーキディスク温度Tとして、ブレーキディスクDの温度の推定値が使用されてもよい。
【０１２７】
この場合、具体的には、図７にフローチャートにより示したブレーキディスク温度の推定ルーチンが所定時間（実行間隔時間Δｔ。例えば、６msec）の経過毎に繰り返し実行されることでブレーキディスク温度Tが推定され得る。
【０１２８】
即ち、ＣＰＵ５１はステップ７００からステップ７０５に進むと、現時点での車体減速度Gと、図８に示した車体減速度GとブレーキディスクDの温度上昇勾配（ブレーキディスクDへの蓄熱速度）Tupとの関係を規定するテーブルと、に基づいてブレーキディスクDの温度上昇勾配Tupを求める。なお、車体減速度Gは、例えば、車輪速度センサ４１**から得られる車輪速度Vw**に基づいて計算される車体速度Vsoを時間微分することで得られる。
【０１２９】
続いて、ＣＰＵ５１はステップ７１０に進み、現時点での車体速度Vsoと、図９に示した車体速度VsoとブレーキディスクDの温度下降勾配（ブレーキディスクDからの放熱速度）Tdownとの関係を規定するテーブルと、に基づいてブレーキディスクDの温度下降勾配Tdownを求める。なお、図８、及び図９に示したテーブルは、所定の実験・シミュレーション等を通して取得されたデータに基づいて予め作製され得る。
【０１３０】
次いで、ＣＰＵ５１はステップ７１５に進んで、上記求めた温度上昇勾配Tup及び温度下降勾配Tdownと、ステップ７１５内に記載の式とに基づいて上記実行間隔時間Δｔの間におけるブレーキディスクDの温度上昇量dTを求める。
【０１３１】
次に、ＣＰＵ５１はステップ７２０に進み、ブレーキディスク温度前回値Tbに上記求めた温度上昇量dTを加えることでブレーキディスク温度Tを更新する。ここで、Tbとしては、前回の本ルーチン実行時において次のステップ７２５にて更新されている最新値が使用される。
【０１３２】
そして、ＣＰＵ５１はステップ７２５に進んで、ブレーキディスク温度前回値Tbを、ステップ７２０にて更新したブレーキディスク温度Tに更新した後、ステップ７９５に進んで本ルーチンを一旦終了する。
【０１３３】
このように、本ルーチンの繰り返し実行により、運転者のブレーキ操作により発生する車体減速度Gから得られるブレーキディスクDへの蓄熱速度Tupと、車体速度Vsoから得られるブレーキディスクDからの放熱速度Tdownとに基づいてブレーキディスク温度Tが逐次更新・推定されていく。
【０１３４】
なお、図７に示したルーチンによりブレーキディスク温度Tが推定される場合、ブレーキディスク温度Tの初期値（イグニッションＯＮ時における値）としては、例えば、イグニッションＯＮ時における外気温、エンジンの吸気温度等が使用され得る。また、車両の放置時間（イグニッションＯＦＦの継続時間）が所定時間以上の場合、ブレーキディスク温度Tの初期値として、イグニッションＯＮ時におけるエンジンの冷却水温が使用されてもよい。
【０１３５】
また、上記車体減速度Gを利用して、ブレーキディスクDの温度Tを用いることなく、熱倒れ状態（ＬＥＡＮ＝１、ＲＥＴ＝０）の判定、及び熱倒れ復帰状態（ＬＥＡＮ＝０、ＲＥＴ＝１）の判定を行うこともできる。この場合、具体的には、図４に示したルーチンに代えて、図１０にフローチャートにより示した熱倒れ判定ルーチンが所定時間（実行間隔時間Δｔ。例えば、６msec）の経過毎に繰り返し実行される。
【０１３６】
なお、図１０のルーチンにおいて、図４のルーチンのステップと同じステップについては図４のステップ番号と同じステップ番号が付されている（後述の図１２も同様）。以下、車体減速度Gは、加速方向において正の値を取り、減速方向において負の値を取るものとする。
【０１３７】
図１０のルーチンは、図４のステップ４１０をステップ１００５に、図４のステップ４２５をステップ１０１０に置き換えた点においてのみ、図４のルーチンと異なる。ステップ１００５では、車体減速度Gが第１所定減速度G1（＜０、減速方向の値）よりも小さい状態（減速度合いが大きい状態）が第１所定時間L1だけ継続した場合に「Ｙｅｓ」と判定される。従って、図１１のタイムチャートに示した例では、時刻ｔ１２にて、フラグＬＥＡＮ＝１、フラグＲＥＴ＝０に設定されて「熱倒れ状態」が判定される。
【０１３８】
ステップ１０１０では、車体減速度Gが第１所定減速度G1よりも大きい（減速度合いが小さい）第２所定減速度G2（＜０、減速方向の値）よりも大きい状態（減速度合いが小さい状態）が第２所定時間L2だけ継続した場合に「Ｙｅｓ」と判定される。従って、図１１のタイムチャートに示した例では、時刻ｔ１４にて、フラグＬＥＡＮ＝０、フラグＲＥＴ＝１に設定されて「熱倒れ復帰状態」が判定される。
【０１３９】
このように、図１０のルーチンの繰り返し実行により、「G＜G1」が第１所定時間L1だけ継続する毎に、「熱倒れ状態」が判定され、「G＞G2」が第２所定時間L2だけ継続する毎に、「熱倒れ復帰状態」が判定される。
【０１４０】
また、図４に示したルーチンに代えて、図１２にフローチャートにより示した熱倒れ判定ルーチンが所定時間（実行間隔時間Δｔ。例えば、６msec）の経過毎に繰り返し実行されてもよい。
【０１４１】
図１２のルーチンは、図４のステップ４１０をステップ１２０５に、図４のステップ４２５をステップ１２１０に置き換えた点においてのみ、図４のルーチンと異なる。ステップ１２０５では、第１時間面積Sleanが第１所定値S1（＞０）を超えた場合に「Ｙｅｓ」と判定される。
【０１４２】
ここで、図１３のタイムチャートに示したように、第１時間面積Sleanは、車体減速度Gが減少しながら第１所定減速度G1を下回った時点（図１３では、時刻ｔ２１）から、下記(1)式に従ってゼロから積算・更新されていく値である。
【０１４３】
Slean＝Σ(G1−G)  ・・・(1)
【０１４４】
従って、図１３に示した例では、上記(1)式にて更新されていく第１時間面積Sleanが第１所定値S1を超える時刻ｔ２２にて、フラグＬＥＡＮ＝１、フラグＲＥＴ＝０に設定されて「熱倒れ状態」が判定される。
【０１４５】
ステップ１２１０では、第２時間面積Sretが第２所定値S2（＞０）を超えた場合に「Ｙｅｓ」と判定される。ここで、図１３に示したように、第２時間面積Sretは、車体減速度Gが増大しながら第２所定減速度G2を超えた時点（図１３では、時刻ｔ２４）から、下記(2)式に従ってゼロから積算・更新されていく値である。
【０１４６】
Sret＝Σ(G−G2)  ・・・(2)
【０１４７】
従って、図１３に示した例では、上記(2)式にて更新されていく第２時間面積Sretが第２所定値S2を超える時刻ｔ２５にて、フラグＬＥＡＮ＝０、フラグＲＥＴ＝１に設定されて「熱倒れ復帰状態」が判定される。
【０１４８】
このように、図１２のルーチンの繰り返し実行により、「Slean＞S1」が成立する毎に「熱倒れ状態」が判定され、「Sret＞S2」が成立する毎に「熱倒れ復帰状態」が判定される。
【０１４９】
なお、第１時間面積Sleanの積算開始時点（図１３では、時刻ｔ２１）から第３所定時間L3が経過するまで（図１３では、時刻ｔ２３になるまで）に「Slean＞S1」が成立した場合にのみ「熱倒れ状態」が判定され、第２時間面積Sretの積算開始時点（図１３では、時刻ｔ２４）から第４所定時間L4が経過するまで（図１３では、時刻ｔ２６になるまで）に「Sret＞S2」が成立した場合にのみ「熱倒れ復帰状態」が判定されるように構成してもよい。
【図面の簡単な説明】
【０１５０】
【図１】本発明の実施形態に係るディスクブレーキ制御装置を含んだ車両の運動制御装置を搭載した車両の概略構成図である。
【図２】図１に示したブレーキ液圧制御装置の概略構成図である。
【図３】可動キャリパ型のディスクブレーキ装置における、（ａ）熱倒れ復帰状態、（ｂ）微小液圧が付与された状態、（ｃ）正常状態での、インナーパッド、アウターパッド（即ち、可動キャリパ）、及びブレーキディスクの間の位置関係を示した図である。
【図４】図１に示したＣＰＵが実行する熱倒れ判定を行うためのルーチンを示したフローチャートである。
【図５】ブレーキディスク温度、及びフラグの値の変化の一例を示したタイムチャートである。
【図６】図１に示したＣＰＵが実行するパッド押し付け処理を行うためのルーチンを示したフローチャートである。
【図７】本発明の実施形態の変形例に係るディスクブレーキ制御装置のＣＰＵが実行するブレーキディスク温度を推定するためのルーチンを示したフローチャートである。
【図８】本発明の実施形態の変形例に係るディスクブレーキ制御装置のＣＰＵが参照する、車体減速度とブレーキディスクの温度上昇勾配との関係を規定するテーブルを示したグラフである。
【図９】本発明の実施形態の変形例に係るディスクブレーキ制御装置のＣＰＵが参照する、車体速度とブレーキディスクの温度下降勾配との関係を規定するテーブルを示したグラフである。
【図１０】本発明の実施形態の他の変形例に係るディスクブレーキ制御装置のＣＰＵが実行する熱倒れ判定を行うためのルーチンを示したフローチャートである。
【図１１】図１０に示したルーチンを用いた熱倒れ判定方法を説明するためのタイムチャートである。
【図１２】本発明の実施形態の他の変形例に係るディスクブレーキ制御装置のＣＰＵが実行する熱倒れ判定を行うためのルーチンを示したフローチャートである。
【図１３】図１２に示したルーチンを用いた熱倒れ判定方法を説明するためのタイムチャートである。
【図１４】可動キャリパ型のディスクブレーキ装置における、（ａ）正常状態、（ｂ）熱倒れ状態、（ｃ）熱倒れ復帰状態での、インナーパッド、アウターパッド（即ち、可動キャリパ）、及びブレーキディスクの間の位置関係を示した図である。
【図１５】図１４（ｃ）におけるブレーキパッド付近の拡大図である。
【符号の説明】
【０１５１】
１０…車両の運動制御装置、３０…ブレーキ液圧制御装置、４１**…車輪速度センサ、４２…アクセル開度センサ、４３…ブレーキペダル踏力センサ、４４…温度センサ、５０…電気式制御装置、５１…ＣＰＵ
【図１】
0004797934.tif 000002
【図２】
0004797934.tif 000003
【図３】
0004797934.tif 000004
【図４】
0004797934.tif 000005
【図５】
0004797934.tif 000006
【図６】
0004797934.tif 000007
【図７】
0004797934.tif 000008
【図８】
0004797934.tif 000009
【図９】
0004797934.tif 000010
【図１０】
0004797934.tif 000011
【図１１】
0004797934.tif 000012
【図１２】
0004797934.tif 000013
【図１３】
0004797934.tif 000014
【図１４】
0004797934.tif 000015
【図１５】
0004797934.tif 000016